(57)【特許請求の範囲】
【請求項１】
窓シャッターのガイドレールとレール下地枠とを、前記ガイドレールとレール下地枠の窓開口幅方向外部側に設けられた嵌合部と、窓開口幅方向開口側に設けられレール側締結片と下地枠側締結片と備えた締結部とにより取付けるようにした窓シャッターのガイドレール取付構造において、前記嵌合部を、ガイドレールをレール下地枠に対し前記外部側から差し込んで嵌合させるように形成すると共に、前記締結部は前記レール側締結片が前記下地枠側締結片の前記外部側に位置して、締結部材により締結される構成としたことを特徴とする窓シャッターのガイドレール取付構造。
【請求項２】
請求項１において、前記ガイドレールは、強風時にシャッターカーテンの耐風フックを係止させる係止部を有する耐風型ガイドレールであることを特徴とする窓シャッターのガイドレール取付構造。
【発明の詳細な説明】
【０００１】
【発明の属する技術分野】
本発明は、建物の窓開口部に設けられる窓シャッターのガイドレール取付構造の技術分野に関するものである。
【０００２】
【従来の技術】
従来、窓シャッターのガイドレール１３は、図６に示すように、メンテナンス等の際に取り外し出来るように、レール下地枠１４を介して建物躯体Ｋに取付けられており、また、ガイドレール１３とレール下地枠１４とは、これらの部材の外部側の端部に設けられた（嵌合凹溝部と嵌合突片とからなる）嵌合部１５と、開口側に設けられ、タッピングねじ等の締結部材で締結される（レール側締結片と下地枠側締結片とからなる）締結部１６とにより接続するようになっている。そして、前記嵌合部１５は、ガイドレール１３を、レール下地枠１４に対して開口側から差込んで嵌合するようになっている。尚、本明細書において方向を示す場合は、開口幅方向（図６の左右方向）については開口側と外部側として、内外方向（図６の上下方向）については、屋内側と屋外側として説明する。
【０００３】
【発明が解決しようとする課題】
ところが、このような（開口側から差込んで嵌合させる）ガイドレールの場合は、強風時にシャッターカーテンに風圧（負圧）が作用すると、シャッターカーテンが屋外側に撓み、あるいは（ガイドレールから）抜出す方向へ移動するため、ガイドレールにも開口側や屋外側の方向へ力が加わり、ガイドレールが外れてしまう恐れがあった。中でも、シャッターカーテンの端部に耐風フックを設けた耐風フック付き窓シャッターの場合は、耐風フックが作用するとガイドレールに開口側方向へ強い力が加わるため、特に強風時の対策（外れる恐れのないガイドレールの開発）が望まれていた。
【０００４】
【課題を解決するための手段】
窓シャッターのガイドレールとレール下地枠とを、前記ガイドレールとレール下地枠の窓開口幅方向外部側に設けられた嵌合部と、窓開口幅方向開口側に設けられレール側締結片と下地枠側締結片と備えた締結部とにより取付けるようにした窓シャッターのガイドレール取付構造において、前記嵌合部を、ガイドレールをレール下地枠に対し前記外部側から差し込んで嵌合させるように形成すると共に、前記締結部は前記レール側締結片が前記下地枠側締結片の前記外部側に位置して、締結部材により締結される構成としたことにより、強風時にシャッターカーテンを介してガイドレールに開口側や屋外側の方向（特には開口側方向）に力が加わると、ガイドレールは、より深くレール下地枠に嵌合するようになるので、ガイドレールがレール下地枠から外れることがない。
【０００５】
また、請求項１において、前記ガイドレールは、強風時にシャッターカーテンの耐風フックを係止させる係止部を有する耐風型ガイドレールとしたことにより、強風時に耐風フックが作用して、ガイドレールに開口部方向へ強い力が加われば加わるほど、ガイドレールはレール下地枠により深く嵌合するので、ガイドレールがレール下地枠から外れることがない。
【０００６】
【発明の実施の形態】
次に、本発明の実施の形態１を図に基づいて説明する。１は、窓シャッター１であって、シャッターカーテン２が、窓開口部Ｓの左右に立設されたガイドレール３に案内され、シャッターケース６内の両端に設けられブラケット７、７間に横架された巻取シャフト（図示せず。）に巻取り巻き降ろされることで窓開口部Ｓを開閉するようになっている。尚、窓シャッター１の基本的な構成は、いずれも従来通りのものであり、その詳細な説明は省略する。
【０００７】
次に、ガイドレール３とレール下地枠４について詳述する。ガイドレール３は、建物躯体Ｋに固定されたレール取付枠４の屋外側に取付けられている。レール下地枠４は、建物躯体Ｋにねじ止め固定された固定辺４１と、該固定片４１の開口側端から屋外側に向けて突出する持出し辺４３とから断面視略逆Ｌ字状となっており、前記持出し辺４３の屋外側端には外部側に開口した嵌合凹溝部４４が形成され、さらに、前記持出し辺４３の中間位置から開口側に向けて分岐し、その開口側端を屋外側に折り曲げ延出した下地枠側締結片４５が形成されている。ここで、前記嵌合凹溝部４４は、開口部に突片４４ａを設けて、入り口のみを狭くしているが、これは、後述するガイドレールの嵌合突片３３を差し込み易くしたものである。従って、前記突片４４ａを嵌合突片３３側に設けたものでも良い。
【０００８】
ガイドレール３は、シャッターカーテン２の端部を案内する断面略コ字状のレール本体部３１と、前記レール本体部３１の屋内側側辺３１ａの略中間位置から屋内側に向けて突出するレール側締結片３２と、屋内側側辺３１ａの外部側端から屋内側に向けて突出させ、その先端を開口側に折り曲げて全体を鉤状とした嵌合突片３３とから構成されている。ここで、レール側締結片３２は、タッピングねじ９を止めるために中央部がやや厚肉に形成されており、また、レール本体部３１の内側には、シャッターカーテン２の耐風フック２ａを係止するための係止部３１ｂが設けられている。
【０００９】
ガイドレール３をレール下地枠４に接続する場合は、ガイドレール３を外部側から近づけて嵌合突片３３を嵌合凹溝部４４に嵌入させ、同時にレール側締結片３２を下地枠側締結片４５の外部側に重ね合わせたうえで前記締結片同士をタッピングネジ９で螺着するようになっている。このようにガイドレール３は、嵌合突片３３が（外部側に開口した）嵌合凹溝部４４に外部側から差込まれているので、
強風時にガイドレールに対して開口側方向や屋内側方向に力が加わっても、ガイドレールが開口部側に外れることが無い。尚、前記嵌合突片３３と嵌合凹溝部４４とが本発明の嵌合部に相当し、レール側締結片３２と下地枠側締結片４５とが本発明の締結部に相当するものである。
【００１０】
また、締結部においては、レール側締結片３２が下地枠側締結片４５の外部側に位置しているため、ガイドレール３に開口側方向への力が加わった時でもタッピングねじ９には力が加わわりにくく、ねじが弛む恐れがない。また、タッピングねじ９は（建物躯体に固定され、通常は壁内に埋め込まれてしまうレール下地枠ではなく）、ガイドレールの側にねじを切って取付けられているので、万一、ねじ山が潰れた場合でも、ガイドレールの交換が可能であり好適である。
【００１１】
本実施の形態においては、ガイドレール３を外部側から嵌合させるため、嵌合突片３３の長さ分だけ、ブラケット７とガイドレール３との間にスペースを設けてあるが、図４、５に示すようにガイドレール３の上部（ブラケット内に入る部位）を切欠くことで、ブラケット７とガイドレール３との間を隙間無しで取付けるようにすることもできる。また、ガイドレール３の下方にスペースが空いている場合は、ガイドレール３を（ブラケット内に入る分の長さだけ）下方にずらした状態で嵌合させ、その後、上にずらすようにしても隙間無しとすることが出来る。
【００１２】
次に、実施の形態２について、図３（ｂ）に基づいて説明する。尚、実施の形態１と同じ部材には同じ番号を付して説明する。実施の形態２は、基本的な構成は実施の形態１と同じであり、ガイドレール３とレール下地枠４の締結部において、レール側締結片３２の基端部３２ａをクランク状に折り曲げて開口側に開口した凹溝を設け、下地枠側締結片４５の先端部を外部側に折返して（取付時に前記凹溝に嵌入する）突片４５ａを設けている。このようにすることで、ガイドレール３に開口側の方向へ力が加わった際には、（締結部においても）より強く嵌合されるようになると同時に、屋外側方向に力が加わった場合にも外れにくくなっている。また、図３（ａ）は、本発明のガイドレール取付構造を（耐風フックの係止部の無い）普通のタイプのガイドレールに適用した例である。
【００１３】
本実施の形態１及び２においては、レール下地枠４を専用の部材としたが、例えばアルミサッシ枠にレール下地枠を兼用させるようにしたものでも良い。また、嵌合突片３３と嵌合凹溝部４４は、ガイドレール３とレール下地枠４とのいずれの側に設けたものでも良く、嵌合部の形状についても、ガイドレールを外部側から差込めるものであれば、本実施の形態に限定されるものではない。
【図面の簡単な説明】
【図１】窓シャッターの全体正面図。
【図２】（ａ）実施の形態１のガイドレールとレール下地枠部分の平面図。（ｂ）ガイドレールとレール下地枠の嵌合部及び締結部の拡大図。
【図３】（ａ）本発明のガイドレール取付構造を耐風フックの係止部のないガイドレールに適用した例のガイドレール部分の平面図。（ｂ）実施の形態２のガイドレールとレール下地枠（接合部のみ）部分の平面図。
【図４】実施の形態１のガイドレールの上部に切欠加工を施した例であって、レール下地枠へ取付ける前の状態を外部側から見た斜視図。
【図５】実施の形態１のガイドレールの上部に切欠加工を施した例であって、レール下地枠へ取付けた状態を外部側から見た斜視図。
【図６】従来のガイドレールの取付構造を示す平面図。
【符号の説明】
１    窓シャッター
２    シャッターカーテン
３    ガイドレール
４    レール下地枠
７    ブラケット
９    タッピングねじ
３２  レール側締結片
３３  嵌合突片
４４  嵌合凹溝部
４５  下地枠側締結片
Ｋ    建物躯体
【図１】
0003790981.tif 000002
【図２】
0003790981.tif 000003
【図３】
0003790981.tif 000004
【図４】
0003790981.tif 000005
【図５】
0003790981.tif 000006
【図６】
0003790981.tif 000007